(57)【要約】      （修正有）【課題】融雪構造を不要として降雪時においても積雪を効率的に除去して発電効率の向上が図られるソーラパネル装置を提供する。【解決手段】屋根２上に勾配に合わせて設置した架台３に縦横に並べて設置した多数個のソーラモジュール４を囲んで設けたパネル取付部材５に対して、光透過性を有する合成樹脂材により複数個のソーラモジュール４を覆う大きさを有し波形断面のパネル体として成形された波形パネル体６を着脱する。波形パネル体６の屋根２の勾配方向と平行状態の凹凸部に沿って積雪を効率的に滑落させる。【選択図】図２
0003164866.tif 000002
【実用新案登録請求の範囲】
【請求項１】
屋根上に勾配に合わせて設置した架台に多数個のソーラモジュールを縦横に並べて設置してなるソーラパネル装置において、
前記ソーラモジュール群の少なくとも外周部位を囲んで前記屋根上に設置したパネル取付部材と、
光透過性を有する合成樹脂材を素材として、前記屋根の勾配方向に並んで設置された複数個の前記ソーラモジュール群を覆うに足る外形寸法を有する波形断面のパネル体として形成された多数個の波形パネル体と、
前記パネル取付部材に対して前記波形パネル体をそれぞれ着脱自在に組み付ける多数個のパネル取付金物を備え、
前記波形パネル体が、凹凸部の方向を前記屋根の勾配方向と平行状態にして前記ソーラモジュールを覆って前記パネル取付部材に対して前記パネル取付金物により取り付けられることにより、積雪滑落ガイド部材として作用することを特徴とするソーラパネル装置。
【請求項２】
前記パネル取付部材は、前記屋根上に固定されて前記ソーラパネルを設置する架台に取り付けられることを特徴とする請求項１に記載のソーラパネル装置。
【請求項３】
前記パネル取付部材は、前記屋根上に設けた雪止め金具に取り付けられることを特徴とする請求項１に記載のソーラパネル装置。
【請求項４】
前記パネル取付金物は、前記パネル取付部材と前記波形パネル体に相対して形成した取付孔にねじ込まれる取付ビスであることを特徴とする請求項１〜請求項３のいずれか１項に記載のソーラパネル装置。
【請求項５】
前記パネル取付金物は、前記波形パネル体に形成した取付孔を貫通する軸部と、この軸部の一端側に設けられて前記波形パネル体の表面側に突出する操作頭部と、前記軸部の他端部に設けられて前記パネル取付部材に形成したフランジ部に対して係脱されるカムロック部とからなり、前記操作頭部を回転操作することにより前記カムロック部を前記パネル取付部材の前記フランジ部に係合させることにより、前記波形パネル体を前記パネル取付部材に取り付けることを特徴とする請求項１〜請求項３のいずれか１項に記載のソーラパネル装置。
【考案の詳細な説明】
【技術分野】
【０００１】  本考案は、屋根上に設置されて太陽光熱をエネルギー源として自家発電を行い、冷暖房や給湯、給電を行うソーラ・システムを構築するソーラパネル装置に関し、さらに詳しくは豪雪地域等に設置して好適なソーラパネル装置に関する。
【背景技術】
【０００２】  ソーラパネル装置は、周知のように半導体の光起電力効果を利用して太陽エネルギーを電気的エネギーに変換する多数個のソーラセルや回路部等をフレームに組み合わせてなるソーラパモジュールを同一平面上に並べてパネル化してなる。ソーラパネル装置は、屋根上に固定した架台に多数個のソーラパモジュールを縦横に並べて組み合わせ、太陽光を受光して発電を行って電力を供給するソーラ・システムを構築する（例えば特許文献１を参照）。【０００３】  ところで、ソーラパネル装置は、豪雪地域等に設置する場合に、当該地域ならではの独自の問題を解決する対応を図る必要がある。すなわち、ソーラパネル装置は、ソーラモジュールの表面が積雪により覆われることにより発電不能の状態となる。ソーラパネル装置は、ソーラモジュールの積雪を速やかに除去する構造を設ける必要がある。ソーラパネル装置は、温度上昇により溶け出した積雪がシャーベット状態となってソーラモジュールの表面を滑り落ちるが、各ソーラモジュール間で堰き止められて表面を覆った状態が解消されないといった問題がある。【０００４】  また、豪雪地域等においては、積雪による雪の重みで家屋が倒壊等することを防ぐために冬期間中において屋根からの雪下ろし作業が数回行われる。ソーラパネル装置は、この雪下ろし作業を実施可能とさせる構造で設置される必要がある。なお、ソーラパネル装置は、豪雪地域等の設置対応として、滑落防止用の雪止め金具を利用して屋根に設置する構造も提案されている（例えば特許文献２を参照）。【０００５】  豪雪地域等の家屋においては、例えば棟上に設置した融雪管から屋根面に水を流して雪を溶かすことにより、積雪を防止する融雪設備が設けられる。しかしながら、ソーラパネル装置は、屋根面に対してソーラモジュールが架台を介して浮いた状態で設置されるために、かかる融雪設備ではソーラモジュール上に積もった雪の排除を行うことができない。ソーラパネル装置においては、このために内部に発熱源を組み込み、降雪時に発熱源から発生した熱によりソーラモジュールを温めて表面の雪を溶かす融雪機能を付加したものも提案されている（例えば特許文献３を参照）。
【先行技術文献】
【０００６】
【特許文献１】  特開２０１０−２７９７９号公報
【特許文献２】  特開２００１−７７３９４号公報
【特許文献２】  特開平８−２５０７５６号公報
【考案の概要】
【考案が解決しようとする課題】
【０００７】  ソーラパネル装置は、各ソーラモジュールの表面が表面材としてガラス板が用いられた平坦な構造であり、屋根の傾斜と平行な傾斜を付されたガラス板の表面に降った雪が流れ落ちやすくまた積もった雪も融雪水を流すことによって滑り落とさせることも可能ではある。しかしながら、ソーラパネル装置は、ソーラモジュールが外周部の保持機能と架台への取付部位の機能とを奏する枠材に組み合わせた構造であることから、実際には外周部位に固まった雪により積雪の除去が困難であった。【０００８】  したがって、本考案は、融雪構造を不要として降雪時においても積雪を効率的に除去して発電効率の向上が図られるようにするソーラパネル装置を提供することを目的に提案されたものである。
【課題を解決するための手段】
【０００９】  上述した目的を達成する本考案にかかるソーラパネル装置は、屋根上に勾配に合わせて設置した架台に多数個のソーラモジュールを縦横に並べて設置してなる。ソーラパネル装置は、パネル取付部材と、多数個の波形パネル体と、多数個のパネル取付金物を備える。ソーラパネル装置は、パネル取付部材が、ソーラモジュール群の少なくとも外周部位を囲んで屋根上に設置される。ソーラパネル装置は、波形パネル体が、光透過性を有する合成樹脂材を素材として屋根の勾配方向に並んで設置された複数個のソーラモジュール群を覆うに足る外形寸法を有する波形断面のパネル体として形成される。ソーラパネル装置は、パネル取付金物が、パネル取付部材に対して波形パネル体をそれぞれ着脱自在に組み付ける。【００１０】  ソーラパネル装置においては、例えば降雪がある冬期の前に、波形パネル体が、それぞれ凹凸部の方向を屋根の勾配方向と平行状態にしてソーラモジュール群を覆ってパネル取付部材に対してパネル取付金物により取り付けられて表面部材を構成する。ソーラパネル装置においては、表面部材を構成する波形パネル体上に雪が降り積もるが、波形パネル体が積雪滑落ガイド部材として作用して温度上昇によって溶け出した雪を屋根の勾配方向と平行状態の凹凸部に沿って効率的に滑落させて除去する。ソーラパネル装置においては、積雪を効率的に除去する波形パネル体を透過した太陽光がソーラモジュールに受光されて効率のよい発電が行われる。【００１１】  ソーラパネル装置は、パネル取付部材を、例えば屋根上に固定されてソーラモジュールを並べて設置する架台に取り付けるようにしてもよい。また、ソーラパネル装置は、パネル取付部材を、屋根上に設ける雪止め金具を利用して取り付けるようにしてもよい。ソーラパネル装置は、パネル取付金物として例えば取付部材と波形パネル体に相対して形成した取付孔にねじ込む取付ビスを用い、この取付ビスを取り外すことによりパネル取付部材に対して波形パネル体が着脱されるようにする。【００１２】  ソーラパネル装置は、パネル取付金物として、波形パネル体に形成した取付孔を貫通する軸部と、この軸部の一端側に設けられて波形パネル体の表面側に突出する操作頭部と、軸部の他端部に設けられてパネル取付部材に形成したフランジ部に対して係脱されるロック部とからなるパネル取付金物を用い、このパネル取付金物によりパネル取付部材に対して波形パネル体を着脱するようにしてもよい。ソーラパネル装置は、パネル取付金物が、操作頭部を回転操作してロック部をパネル取付部材のフランジ部に係合させることにより、作業性の向上を図って波形パネル体に対して取付部材の着脱が行われるようになる。
【考案の効果】
【００１３】  本考案にかかるソーラパネル装置によれば、ソーラモジュールを覆って設けた波形パネル体上に積もった雪が温度上昇によって溶け出すと、この波形パネル体の屋根の勾配方向と平行状態の凹凸部上を効率的に滑落させることが可能である。ソーラパネル装置によれば、積雪を効率的に除去した波形パネル体を介してソーラモジュールにおいて太陽光の吸収が行われることにより、効率のよい発電を行うことが可能となる。ソーラパネル装置によれば、雪下ろし等の作業時に波形パネル体で覆われたソーラモジュールの損傷発生を防止するとともに作業員の安全性も確保されるようにする。ソーラパネル装置によれば、廉価な波形パネル体を用いた簡易な構造であり、設置作業の手間もかからないことから廉価に設置することが可能であるとともに屋根構造に対する負荷も少ない。
【図面の簡単な説明】
【００１４】
【図１】  ソーラパネル装置の設置状態を示す図である。
【図２】  ソーラパネル装置の要部分解斜視図である。
【図３】  ソーラパネル装置の断面図である。
【図４】  他の実施の形態として示すソーラパネル装置の要部断面図である。
【考案を実施するための形態】
【００１５】  以下、本考案の実施の形態として図面に示したソーラパネル装置１について詳細に説明する。ソーラパネル装置１は、詳細を後述する除雪構造を備え、降雪後においても表面からの速やかな除雪が行われて発電の再開を可能とする豪雪地域等において好適に設置される、ソーラパネル装置である。ソーラパネル装置１は、図１に示すように、家屋の屋根２上に、例えステンレス材や防さび処理を施したＬ字鋼材或いは角パイプ材等を枠状に組み合わせてなる架台３を屋根勾配に合わせて設置する。
【００１６】  ソーラパネル装置１は、架台３に対して、多数個のソーラモジュール４を、それぞれの表面（太陽光受光面）が互いに同一平面を構成するようにして縦横に並べて設置し、それぞれを適宜の取付金具を用いて取り付けてなる。なお、ソーラパネル装置１は、かかる架台３やソーラモジュール４が、従来の既存装置と基本的な構成及び設置構造を同様とすることから、詳細な説明を省略する。
【００１７】  ソーラパネル装置１は、図１及び図２に示すように、例えば架台３を利用して屋根２上に枠組みして設置される多数個のパネル取付部材５と、これらパネル取付部材５に対してソーラモジュール４を覆って設置される多数枚の波形パネル体６と、この波形パネル体６をパネル取付部材５に対して着脱するパネル取付金物７とを有する。ソーラパネル装置１は、これら部材５〜７が冬期中においてソーラモジュール４を覆うように屋根２上に設置されることにより除雪構造を構成し、その他の季節では解体される。なお、ソーラパネル装置１は、ソーラモジュール４を覆って除雪構造を構成するこれら部材５〜７について、屋根２に常設してもよいことは勿論である。
【００１８】  ソーラパネル装置１は、パネル取付部材５として、例えば角材やステンレス材或いは防さび処理を施した鋼材等が用いられる。パネル取付部材５は、図１に示すように少なくとも架台３に並べて設置したソーラモジュール４を取り囲むように枠組みして屋根２上に設置する。パネル取付部材５は、屋根２上に設置した状態でソーラモジュール４の表面から突出するように、ソーラモジュール４の厚みよりも大きな断面寸法を有している。パネル取付部材５には、後述するように波形パネル体６を着脱するパネル取付金物７を取り付ける取付孔が形成されている。
【００１９】  パネル取付部材５は、図１に示すように架台３を介して縦横に配列して設置した多数個のソーラモジュール４に対して、横方向（棟方向）に配列した最上段（棟側）のソーラモジュール４の上方外周部に沿って最上部のパネル取付部材５を設置する。パネル取付部材５は、最下段（軒先側）のソーラモジュール４の下方外周部に沿って最下部のパネル取付部材５を設置する。パネル取付部材５は、左右の外側位置のソーラモジュール４の側方に沿って、それぞれ最外側パネル取付部材５を設置する。
【００２０】  パネル取付部材５は、上述したソーラモジュール４を囲む大きな外枠組とともに、この外枠組内に縦横に配列したソーラモジュール４間内に介在するようにして個別の内部枠組みも構成する。パネル取付部材５は、勾配方向を縦長として配列した所定個数のソーラモジュール４間毎に、内部枠組みを構成する横方向の中間部材が設置される。パネル取付部材５は、横方向に並んで配列された所定個数のソーラモジュール４間毎に、縦方向の中間部材が設置される。
【００２１】  ソーラパネル装置１においては、多数個のパネル取付部材５について、最上段のパネル取付部材５と最下段のパネル取付部材５が、屋根２の勾配に対応して高さ位置を異にして設置する。また、ソーラパネル装置１においては、多数個のパネル取付部材５について、ソーラモジュール４の外方側に沿って配置されるパネル取付部材５を屋根２の勾配に対応した勾配を付して設置する。ソーラパネル装置１においては、パネル取付部材５の内部枠組みに対して、後述する波形パネル体６をそれぞれ１枚ずつ取り付けるようにする。
【００２２】  なお、パネル取付部材５については、上述した枠組み構造を構成することに限定されないことは勿論であり、波形パネル体６の外形仕様に応じて内部枠組みの大きさを変えて縦横に適宜組み合わされる。また、パネル取付部材５は、ソーラモジュール４の配列規模に応じて複数本をつなぎ合わせて構成してもよいことは勿論である。
【００２３】  パネル取付部材５は、雨漏りの発生を防止し、積雪に対しても充分な機械的強度を有する適宜の取付構造により屋根２への取り付が行われる。パネル取付部材５は、屋根２に対して架台３の取付け構造と同様の構造により、取り付けられる。また、パネル取付部材５は、特に外枠部材について縦横に配列されたソーラモジュール４の外側に位置するソーラモジュール４から突出した架台３の端部を取付部として、この架台３を介して屋根２に取り付けるようにしてもよい。パネル取付部材５は、中間部材については架台３の中間部位を取付部として取り付けるようにしてもよい。さらに、パネル取付部材５は、例えば特許文献２に記載されるような豪雪地域の屋根２に設置される各種の雪止め金具を利用して取り付けるようにしてもよい。
【００２４】  パネル取付部材５は、上述した独立部材に限定されないことは勿論である。パネル取付部材５は、例えば架台３に対して、波形パネル体６を固定する取付孔を形成した上方部位を隣り合うソーラモジュール４間に臨ませるようにして下方部位を一体化されたブラケット部材であってもよい。また、パネル取付部材５は、同様にしてソーラモジュール４間に取付部を臨ませて雪止め金具に一体化されたブラケット部材であってもよい。これらパネル取付部材５は、冬期において波形パネル体６が着脱されるようにするが、その他の季節では架台３や雪止め金具にそのまま残される。
【００２５】  ソーラパネル装置１は、波形パネル体６として、透明若しくは着色透明で良好な光透過性を有する合成樹脂材、例えばポリカーボネート樹脂等により断面が半円弧状の凸部と凹部が連続する波形形状に形成された波形パネル体が用いられる。波形パネル体６は、例えば入手が容易であり比較的廉価な建築資材用等として市販されている所定規格の波形パネル体が好適に用いられる。波形パネル体６は、比較的薄厚で軽量であるが、波形断面に形成されることにより板状パネルと比較して大きな機械的強度を有する。
【００２６】  波形パネル体６は、複数個のソーラモジュール４を被覆するに足る外形寸法を有して形成される。波形パネル体６は、例えば長さ方向に並べた２個のソーラモジュール４の長さ寸法よりもやや大きな長さと、ソーラモジュール４の横幅寸法よりもやや大きな横幅を有する縦長矩形に形成される。波形パネル体６は、断面波形を構成する凹凸部が、長さ方向と平行に形成される。波形パネル体６には、外周部に沿って上述したパネル取付部材５に形成した取付孔に相対して複数個の取付孔が形成されている。
【００２７】  波形パネル体６は、外周部に形成した取付孔を相対するパネル取付部材５側の取付孔に位置合わせしてパネル取付部材５の枠組みに組み合わされる。波形パネル体６は、取付孔に嵌合したパネル取付金物７によりパネル取付部材５に対して固定される。なお、波形パネル体６は、図１に示すように枠組みに対して４辺の外周部位をパネル取付金物７により固定することが好ましい。
【００２８】  パネル取付金物７には、例えば波形パネル体６の厚みよりも長軸であり、防さび処理を施した取付ビスが用いられる。パネル取付金物７は、波形パネル体６に設けた取付孔を貫通させてドライバ等によりパネル取付部材５にねじ止めすることにより、パネル取付部材５に対して波形パネル体６を固定する。パネル取付金物７は、取付孔から取り外すことにより、パネル取付部材５から波形パネル体６が取り外されるようにする。
【００２９】  パネル取付金物７は、波形パネル体６の外周部に設けた複数個の取付孔にそれぞれねじ込まれることにより、パネル取付部材５に対して波形パネル体６を強固に固定する。パネル取付金物７は、後述するように隣り合う波形パネル体６を相対する外周部位を重ね合わせて取り付けるために、２枚分の波形パネル体６の厚みよりも長軸とされる。
【００３０】  なお、パネル取付金物７については、パネル取付部材５に対して波形パネル体６を着脱自在とする固定手段であればよく、上述した取付ビスに限定されないことは勿論である。パネル取付金物７は、例えば予めパネル取付部材５側に固定されてねじ部を突出させたスタッドボルトと、このスタッドボルトのねじ部にねじ込まれるナットにより構成してもよい。パネル取付金物７は、パネル取付部材５に組み付ける波形パネル体６の取付孔からねじ部が貫通し、このねじ部にナットがねじ込まれることによりパネル取付部材５に対して波形パネル体６を固定する。
【００３１】  パネル取付金物７は、上述したようにパネル取付部材５に対して波形パネル体６を、これらに相対して形成した取付孔に貫通して嵌合されることにより着脱自在とする固定手段を構成する。パネル取付金物７は、取付孔からの雨水や雪融け水が内部に進入することを防止するために、パッキン等の適宜の水漏れ防止部材を介在させることが好ましい。
【００３２】  ソーラパネル装置１は、図１乃至図３に示すように、屋根２上に勾配に合わせて架台３を設置し、この架台３に多数個のソーラモジュール４を縦横に並べて設置する。ソーラパネル装置１は、図１に示すように、縦横に並べて設置したソーラモジュール４の外周部を取り囲むように枠組みした多数本のパネル取付部材５が架台３や雪止め金具に対して取り付けられる。
【００３３】  ソーラパネル装置１は、図１及び図２に示すように棟方向に隣り合うソーラモジュール４間に位置して架台３や雪止め金具を利用してそれぞれパネル取付部材５を取り付ける。ソーラパネル装置１は、図３に示すように勾配方向に並んだ２個のソーラモジュール４毎の間に位置して架台３や雪止め金具を利用してパネル取付部材５をそれぞれ取り付ける。ソーラパネル装置１は、図２及び図３に示すようにパネル取付部材５がそれぞれソーラモジュール４の表面から突出した状態で取り付けられる。
【００３４】  ソーラパネル装置１においては、例えば降雪がある冬期の前に、ソーラモジュール４を覆って多数枚の波形パネル体６の取付が行われる。ソーラパネル装置１は、波形パネル体６を、パネル取付部材５上に縦横に配列して組み合わせ、パネル取付金物７により固定する。波形パネル体６は、凹凸部の方向を屋根２の勾配方向と平行な縦長の状態とし勾配方向に並んで設置された下段側の２個のソーラモジュール４を覆うようにして軒先側から棟側に向かって順次取り付けられる。
【００３５】  最下段の波形パネル体６は、図２に示すように下端側を最下部パネル取付部材５に対してパネル取付金物７により固定するとともに上端側を２段目のパネル取付部材５に対してパネル取付金物７により固定する。さらに、最下段の波形パネル体６は、外側部位を最外側パネル取付部材５に対してパネル取付金物７により固定するとともに、内側部位を２列目のパネル取付部材５に対してパネル取付金物７により固定する。
【００３６】  上段の波形パネル体６も、凹凸部の方向を屋根２の勾配方向と平行な縦長の状態としてその下端側を最下段の波形パネル体６の上端側に重ね合わせ、パネル取付金物７を共用して２段目のパネル取付部材５に対して固定する。上段の波形パネル体６は、上段側に配置した２個のソーラモジュール４を覆い、上端側を３段目のパネル取付部材５に対してパネル取付金物７により固定する。なお、波形パネル体６も、外側部位を最外側パネル取付部材５に対してパネル取付金物７により固定するとともに、内側部位を２列目のパネル取付部材５に対してパネル取付金物７により固定する。
【００３７】  ソーラパネル装置１は、以下同様の作業により多数枚の波形パネル体６を、相対する外周部位を重ね合わせてソーラモジュール４を覆って組み合わせ、パネル取付金物７を共用してパネル取付部材５上に固定する。ソーラパネル装置１は、上述したように下段側の波形パネル体６の上端部位に上段側の波形パネル体６の下端部位を重ね合わせることにより、重ね合わせ部位に段差が生じない組み合わせ構造となっている。ソーラパネル装置１は、上述したように多数枚の波形パネル体６を互いの凹凸部が連通するようにして上下に組み合わしたことにより、屋根２の全体に棟から軒先まで連続する凹凸部を構成する。
【００３８】  ソーラパネル装置１においては、降雪時において表面部材を構成する波形パネル体６によってソーラモジュール４に積雪されないようにする。ソーラパネル装置１においては、波形パネル体６上に降り積もった雪が温度上昇に伴って溶け出し、シャーベット状態となってその自重により波形パネル体６上を滑り落ちる。ソーラパネル装置１においては、波形パネル体６が、屋根の勾配方向と平行状態の凹凸部に沿って積雪を効率的に滑落させて除去する。ソーラパネル装置１においては、積雪を効率的に除去した波形パネル体６を介してソーラモジュール４において太陽光の吸収が行われることにより、効率のよい発電が行われる。
【００３９】  ソーラパネル装置１においては、雪下ろし等の作業に際して、ソーラモジュール４を波形パネル体６で覆った構造であることから、スコップ等によりソーラモジュール４が損傷されるといった事故発生を防止しまた作業員の安全性も確保されるようにする。ソーラパネル装置１においては、廉価な波形パネル体６を用いた簡易な構造であり、設置作業の手間もかからないことから廉価に設置することが可能であるとともに屋根構造に対する負荷も少ない。
【００４０】  上述したソーラパネル装置１においては、ソーラモジュール４を囲んで屋根２に設けたパネル取付部材５に対して波形パネル体６を、波形パネル体６の厚みよりも長軸であり、防さび処理を施した取付ビスからなるパネル取付金物７により着脱するようにしたが、かかるパネル取付金物７に限定されないことは勿論である。図４に示したソーラパネル装置１０は、詳細を後述するパネル取付金物１１を用いることにより、波形パネル体６の着脱作業の効率化を図る構成に特徴がある。
【００４１】  ソーラパネル装置１０は、上述したソーラパネル装置１と基本的な構成を同様とすることから、対応する部位には同一符号を付すことにより説明を省略する。ソーラパネル装置１０は、詳細を省略するが図示しない架台３に設置されたソーラモジュール４間に位置して下端部を架台３に固定されたパネル取付部材５が配置される。パネル取付部材５には、上端部にソーラモジュール４の表面から突出しかつ水平方向に折曲されてフランジ部５Ａが一体に形成される。
【００４２】  波形パネル体６は、外周部にパネル取付金物１１が嵌合される取付孔６Ａを形成するが、この取付孔６Ａを囲む底面側に取付座部材１２とパッキン材１３とが接合される。取付座部材１２は、取付孔６Ａの開口部位を裏打ちして補強するとともにフランジ部５Ａとの密着性を向上させるように機能する。パッキン材１３は、取付孔６Ａからの雨水や雪解け水の浸入を低減させる。なお、これら取付座部材１２やパッキン材１３については、上述した第１の実施の形態で示した波形パネル体６に設けてもよい。
【００４３】  波形パネル体６には、取付孔６Ａにパネル取付金物１１が組み合わされる。パネル取付金物１１は、波形パネル体６の取付孔６Ａを貫通する軸部１１Ａと、この軸部１１Ａの上端側に設けられたやや大径の操作頭部１１Ｂと、軸部１１Ａの他端部に設けられたカムロック部１１Ｃとからなる。パネル取付金物１１は、軸部１１Ａが波形パネル体６と取付座部材１２とパッキン材１３を貫通して回転自在に組み合わされる。パネル取付金物１１は、操作頭部１１Ｂが、波形パネル体６表面に突出され、表面側から軸部１１Ａを回転操作させる。パネル取付金物１１は、カムロック部１１Ｃが軸部１１Ａに対して偏心位置に設けられ、大径部位を大きな厚みとしたカム部位からなり、パネル取付部材５のフランジ部５Ａの底面側に延在するようにして軸部１１Ａに設けられる。
【００４４】  ソーラパネル装置１０においては、波形パネル体６を所定個数のソーラモジュール４を覆って組み合わせ、波形パネル体６の外周部に沿って組み合わせたパネル取付金物１１が相対する隣り合うソーラモジュール４間に対向位置するように位置合わせする。ソーラパネル装置１０においては、図４矢印で示すようにパネル取付金物１１の操作頭部１１Ｂを回転操作することにより、パネル取付部材５に対して波形パネル体６を固定する。パネル取付金物１１は、操作頭部１１Ｂの回転操作により、軸部１１Ａを介してカムロック部１１Ｃがパネル取付部材５のフランジ部５Ａの底面側へと入り込んで嵌合する。パネル取付金物１１は、これにより同図に示すようにフランジ部５Ａ上に取付座部材１２とパッキン材１３を挟み込んだ状態で、パネル取付部材５に対して波形パネル体６を固定する。
【００４５】  ソーラパネル装置１０においては、上述したようにパネル取付金物１１の操作頭部１１Ｂを回転操作することによりパネル取付部材５に対して波形パネル体６を着脱操作することが可能となり、作業性の大幅な向上が図られる。ソーラパネル装置１０においては、パネル取付金物１１が波形パネル体６から取り外されることなく組み合わせ状態を保持されることから、季節毎の設置に際してもその都度新たにビス等を用意する手間が無くなるとともにねじ孔が広がって取付強度が低下するといったことも無い。
【００４５】  なお、ソーラパネル装置１０は、上述したようにパネル取付金物１１の構成に限定されないことは勿論であり、例えばカムロック部１１Ｃが架台３に形成したロック部に相対して形成されてもよい。ソーラパネル装置１０は、上述したパネル取付金物１１を波形パネル体６の主たる部位に組み合わせ、他の部位を取付ビス等により固定するようにしてもよい。
【符号の説明】
【００４５】  １  ソーラパネル装置、２  屋根、３  架台、４  ソーラモジュール、５  パネル取付部材、６  波形パネル体、７  パネル取付金物、１０  ソーラパネル装置、１１  パネル取付金物、１１Ａ  軸部、１１Ｂ  操作頭部、１１Ｃ  カムロック部、１２  取付座部材  １２、１３  パッキン材
【図１】
0003164866.tif 000003
【図２】
0003164866.tif 000004
【図３】
0003164866.tif 000005
【図４】
0003164866.tif 000006